【手続補正書】
【提出日】平成18年12月5日(2006.12.5)
【手続補正１】
【補正対象書類名】特許請求の範囲
【補正対象項目名】全文
【補正方法】変更
【補正の内容】
【特許請求の範囲】
【請求項１】
発熱体から発生する熱を冷却流体により冷却する冷却構造体において、発熱体と、少なくとも上記冷却流体に面する上記発熱体の表面に、絶縁接着層を介して接着された、可とう性を有する金属箔からなるヒートシンクとを有する放熱構造体、および上記放熱構造体の外部に設置され、内部を流れる冷却流体と上記ヒートシンクとが直接接触するように設置された通流路を備えたことを特徴とする冷却構造体。
【請求項２】
放熱構造体は通流路内に設置されていることを特徴とする請求項１記載の冷却構造体。
【請求項３】
通流路は、冷却流体送入口と、内部に流路が形成され、かつ開口が設けられた冷却流体通流容器と、冷却流体送出口とを有し、
放熱構造体は、上記放熱構造体のヒートシンクが上記開口を覆うように設置されていることを特徴とする請求項１記載の冷却構造体。
【請求項４】
放熱構造体は、半導体素子と、この半導体素子の両面にそれぞれ設置され、上記半導体素子と反対側の面にそれぞれ、絶縁接着層を介して可とう性を有する金属箔からなるヒートシンクが接着された２つのヒートスプレッタとで構成され、
通流路は、上記ヒートスプレッタの外側にそれぞれ設けられ、各々、冷却流体送入口と、内部に流路が形成され、かつ開口が設けられた冷却流体通流容器と、冷却流体送出口とを有し、
上記各ヒートスプレッタのヒートシンクが上記各通流路の開口を覆うように、上記放熱構造体が設置されていることを特徴とする請求項１記載の冷却構造体。
【請求項５】
冷却流体と直接接触するヒートシンク表面に、上記冷却流体の流れ方向と交差する方向に延在する微細窪みを設け、上記微細窪みの上記冷却流体の流れの方向に沿った断面形状は非対称であることを特徴とする請求項１〜４のいずれかに記載の冷却構造体。
【請求項６】
冷却流体と直接接触するヒートシンク表面に、上記冷却流体の流れ方向と交差する方向に延在する微細窪みを設け、上記微細窪みは、上流側内壁面と下流側内壁面とでヒートシンク表面に対する角度が異なっており、かつ上記角度が大きい方の内壁面の角度は３０°より大きいことを特徴とする請求項１〜４のいずれかに記載の冷却構造体。
【請求項７】
冷却流体の流れ方向に沿った、微細窪みの深さ方向の断面形状が略不等脚台形、または略不等辺三角形であることを特徴とする請求項５または６記載の冷却構造体。
【請求項８】
微細窪みは、冷却流体の流れ方向に沿った断面形状が、上記冷却流体の流れ方向と交差する方向に等しいことを特徴とする請求項５または６記載の冷却構造体。
【請求項９】
微細窪みは、冷却流体の流れ方向に近接して配設されたことを特徴とする請求項５〜８のいずれかに記載の冷却構造体。
【請求項１０】
微細窪みと連結し、冷却流体の流れ方向に沿ったバイパス溝を設けたことを特徴とする請求項５〜９のいずれかに記載の冷却構造体。
【請求項１１】
通流路を流れる冷却流体と直接接触し、上記冷却流体と熱交換するヒートシンクにおいて、上記ヒートシンクの伝熱面の、上記冷却流体との接触面に、上記冷却流体の流れ方向と交差する方向に延在する微細窪みを設け、上記微細窪みの上記冷却流体の流れの方向に沿った断面形状は非対称であることを特徴とするヒートシンク。
【請求項１２】
通流路を流れる冷却流体と直接接触し、上記冷却流体と熱交換するヒートシンクにおいて、上記ヒートシンクの伝熱面の、上記冷却流体との接触面に、上記冷却流体の流れ方向と交差する方向に延在する微細窪みを設け、上記微細窪みは、上流側内壁面と下流側内壁面とでヒートシンク表面に対する角度が異なっており、かつ上記角度が大きい方の内壁面の角度は３０°より大きいことを特徴とするヒートシンク。
【請求項１３】
冷却流体の流れ方向に沿った、微細窪みの深さ方向の断面形状が略不等脚台形、または略不等辺三角形であることを特徴とする請求項１１または１２記載のヒートシンク。
【請求項１４】
微細窪みは、冷却流体の流れ方向に沿った断面形状が、上記冷却流体の流れ方向と交差する方向に等しいことを特徴とする請求項１１または１２記載のヒートシンク。
【請求項１５】
微細窪みは、冷却流体の流れ方向に近接して配設されたことを特徴とする請求項１１〜１４のいずれかに記載のヒートシンク。
【請求項１６】
微細窪みと連結し、冷却流体の流れ方向に沿ったバイパス溝を設けたことを特徴とする請求項１１〜１５のいずれかに記載のヒートシンク。
【請求項１７】
微細窪みが設けられたヒートシンク表面の略中央部は、冷却流体が通流路内に流入する冷却流体送入口に対向していることを特徴とする請求項１１〜１６のいずれかに記載のヒートシンク。
【請求項１８】
通流路を流れる冷却流体と直接接触し、上記冷却流体と熱交換するヒートシンクにおいて、上記ヒートシンクの伝熱面にフィンを設けると共に、フィン表面に、上記冷却流体の流れ方向と交差する方向に延在する微細窪みを設けたことを特徴とするヒートシンク。
【請求項１９】
微細窪みは、冷却流体の流れの方向に沿った断面形状が非対称であることを特徴とする請求項１８記載のヒートシンク。
【請求項２０】
微細窪みは、上流側内壁面と下流側内壁面とでフィン表面に対する角度が異なっており、かつ上記角度が大きい方の内壁面の角度は３０°より大きいことを特徴とする請求項１８記載のヒートシンク。
【請求項２１】
発熱体の表面に、絶縁接着層を介して、可とう性を有する金属箔からなるヒートシンクが接着された放熱構造体を、上記ヒートシンクが、冷却流体と直接接触するように、上記冷却流体が流れる通流路に設置することを特徴とする発熱体の冷却方法。
【手続補正２】
【補正対象書類名】明細書
【補正対象項目名】０００９
【補正方法】変更
【補正の内容】
【０００９】
また、この発明によるヒートシンクは、冷却流体との接触面に、冷却流体の流れ方向と交差する方向に延在する微細窪みを設け、上記微細窪みの上記冷却流体の流れの方向に沿った断面形状が非対称であるものである。
また、この発明によるヒートシンクは、冷却流体との接触面に、冷却流体の流れ方向と交差する方向に延在する微細窪みを設け、上記微細窪みは、上流側内壁面と下流側内壁面とでヒートシンク表面に対する角度が異なっており、かつ上記角度が大きい方の内壁面の角度は３０°より大きいものである。
【手続補正３】
【補正対象書類名】明細書
【補正対象項目名】００１０
【補正方法】変更
【補正の内容】
【００１０】
また、この発明によるヒートシンクは、ヒートシンクの伝熱面にフィンを設けると共に、フィン表面に、冷却流体の流れ方向と交差する方向に延在する微細窪みを設けたものである。
【手続補正４】
【補正対象書類名】明細書
【補正対象項目名】００１３
【補正方法】変更
【補正の内容】
【００１３】
また、この発明によるヒートシンクは、冷却流体と接するヒートシンク表面に、冷却流体の流れ方向と交差する方向に延在する微細窪みを設け、上記微細窪みの上記冷却流体の流れの方向に沿った断面形状が非対称である構成、あるいは上記微細窪みの上流側内壁面と下流側内壁面とでヒートシンク表面に対する角度が異なっており、かつ上記角度が大きい方の内壁面の角度が３０°より大きい構成としたので、圧力損失が小さく、かつ放熱特性に優れたヒートシンクを提供することができる。
また、この発明によるヒートシンクは、ヒートシンクの伝熱面にフィンを設けると共に、フィン表面に、冷却流体の流れ方向と交差する方向に延在する微細窪みを設けたので、放熱特性に優れたヒートシンクを提供することができる。